(57)【要約】【課題】  後片づけが容易なおまるを提供することを目的とするものである。【解決手段】  吸水シーツ８１を中桶１２の底面及び周壁に密着してセットする。このとき、吸水シーツ８１は、中桶の各コーナー部にて折曲され折り重ねられるが、各コーナー部には、外側に張り出した張出部７２が設けられている。このため、吸水シーツ８１の折り重ね部１２１を、各コーナー部の張出部７２に収容した状態で起立させることができる。吸水シーツ８１を取り外し時には、この起立した折り重ね部１２１を指で摘むだけで、吸水シーツ８１を容易に取り外すことができる。また、吸水シーツ８１の裏面は、不透液性バックシートで構成されており、不用意な破れを防止することができる。【選択図】        図９
2006288855.tif 000002
【特許請求の範囲】
【請求項１】
シートをセットした状態で排泄物が収容される容器部を備え、該容器部を構成する周壁のコーナー部に外側に張り出した張出部を設けたことを特徴とするおまる。
【請求項２】
前記張出部の開口形状を、幅寸法が前記容器部の内側から外側へ向かうに従って狭くなる三角形状に設定したことを特徴とする請求項１記載のおまる。
【請求項３】
前記容器部の前記底面を一方向に長い長形状に形成し、前記底面の短手方向に延在する短辺より起立した短辺側壁面及び前記底面の長手方向に延在する長辺より起立した長辺側壁面によって前記周壁を構成するとともに、前記短辺側壁面と前記長辺側壁面とが交差する前記コーナー部に前記張出部を設けたことを特徴とする請求項１又は２記載のするおまる。
【請求項４】
排泄物を収容する容器部にシートをセットして使用するおまるにおいて、
前記シートの裏面を不透液性バックシートで構成したことを特徴とするおまる。
【請求項５】
前記張出部の開口形状を、略丸形状に設定したことを特徴とする請求項１から４にいずれか記載のおまる。
【発明の詳細な説明】
【技術分野】
【０００１】
本発明は、便器を構成するおまるに関する。
【背景技術】
【０００２】
従来、幼児にトイレを仕付ける際には、おまるが使用されている。
【０００３】
該おまるは、容器状に形成されており、その底面にシートを敷いて使用するように構成されている。
【０００４】
これにより、底面の汚れを防止できるように構成されている。
【発明の開示】
【発明が解決しようとする課題】
【０００５】
しかしながら、このような従来のおまるにあっては、使用後のシートが取り外し難く、後片づけが面倒であった。
【０００６】
本発明は、このような従来の課題に鑑みてなされたものであり、後片づけが容易なおまるを提供することを目的とするものである。
【課題を解決するための手段】
【０００７】
前記課題を解決するために本発明の請求項１のおまるにあっては、シートをセットした状態で排泄物が収容される容器部を備え、該容器部を構成する周壁のコーナー部に外側に張り出した張出部を設けた。
【０００８】
すなわち、おまるを使用する際には、容器部の底面にシートをセットするとともに、該シートの周縁部を、前記容器部の周壁に沿って立ち上げる。このとき、前記シートは、当該容器部のコーナー部にて折曲され折り重ねられる。
【０００９】
このとき、このコーナー部には、外側に張り出した張出部が設けられており、前記折り重ね部は、この張出部に収容され、起立状態が維持される。
【００１０】
また、請求項２のおまるにおいては、前記張出部の開口形状を、幅寸法が前記容器部の内側から外側へ向かうに従って狭くなる三角形状に設定した。
【００１１】
すなわち、容器部にシートをセットした状態で、容器部のコーナー部にて折り重ねられた前記シートの折り重ね部は、開口形状が三角形状の張出部に収容される。これにより、前記折り重ね部は、その先端が前記張出部の頂点部に配置される。
【００１２】
さらに、請求項３のおまるでは、前記容器部の前記底面を一方向に長い長形状に形成し、前記底面の短手方向に延在する短辺より起立した短辺側壁面及び前記底面の長手方向に延在する長辺より起立した長辺側壁面によって前記周壁を構成するとともに、前記短辺側壁面と前記長辺側壁面とが交差する前記コーナー部に前記張出部を設けた。
【００１３】
これにより、容器部にセットされたシートは、四隅が張出部に収容された状態で起立される。
【００１４】
加えて、請求項４のおまるにあっては、排泄物を収容する容器部にシートをセットして使用するおまるにおいて、前記シートの裏面を不透液性バックシートで構成した。
【００１５】
すなわち、おまるを使用する際には、容器部にシートをセットする。すると、使用時の尿は、このシートに吸収される。
【００１６】
そして、このシートは、その裏面が不透液性バックシートで構成されている。このため、前記シートを前記容器部から取り外す際には、当該シートが破れるといった不具合を解消することができる。
【００１７】
また、請求項５のおまるにおいては、前記張出部の開口形状を、略丸形状に設定した。
【００１８】
すなわち、容器部にシートをセットした状態で、容器部のコーナー部にて折り重ねられた前記シートの折り重ね部は、開口形状が略丸形状の張出部に収容される。これにより、該張出部に指を挿入して前記折り重ね部を摘んで取り出す際の取出性が向上する。
【発明の効果】
【００１９】
以上説明したように、本発明の請求項１のおまるにあっては、容器部にシートをセットした際に、前記容器部のコーナー部にて折曲され折り重ねられた前記シートの折り重ね部を、前記コーナー部に設けられた張出部に収容した状態で起立させることができる。
【００２０】
このため、使用後のシートを取り外す際には、前記張出部で起立した折り重ね部をつまむだけで、当該シートを取り外すことができる。これにより、シートの後片づけが容易となる。
【００２１】
また、請求項２のおまるにおいては、容器部にセットされたシートの折り重ね部を開口形状が三角形状の張出部に収容することによって、その先端を、前記張出部の頂点部に配置することができる。
【００２２】
これにより、前記張出部に配置された前記折り重ね部を摘んで取り出す際の取出性を、さらに向上することができる。
【００２３】
さらに、請求項３のおまるでは、容器部にセットされたシートの四隅を、張出部に収容された状態で起立させることができる。
【００２４】
これにより、シートの四隅を摘んで取り外すことができる。
【００２５】
加えて、請求項４のおまるにあっては、容器部にセットされるシートは、その裏面が不透液性バックシートで構成されている。このため、前記シートを前記容器部から取り外す際に、当該シートが破れるといった不具合を解消することができる。
【００２６】
また、尿などによってシートが容器部の底面に張り付く恐れのある場合と比較して、シートの取り外し性を向上することができ、後片づけを容易に行うことができる。
【００２７】
また、請求項５のおまるにおいては、前記張出部の開口形状を略丸形状に設定したため、該張出部に指を挿入して前記折り重ね部を摘んで取り出す際の取出性を向上することができる。
【発明を実施するための最良の形態】
【００２８】
以下、本発明の一実施の形態を図に従って説明する。図１は、本実施の形態にかかるおまる１を示す図であり、該おまる１は、持ち運び可能な便器を構成するものである。
【００２９】
このおまる１は、幼児用であって、幼児にトイレを仕付ける際に使用される。前記おまる１は、図２にも示すように、外周部を構成する縦長のおまる本体１１と、該おまる本体１１に収容される容器部としての中桶１２と、前記おまる本体１１の上縁部１３に載置された状態で支持される便座部１４と、該便座部１４に形成された開口部１５を閉鎖する蓋体１６とによって構成されている。
【００３０】
前記おまる本体１１の中央部には縦長の収容凹部２１が形成されており、該収容凹部２１内に前記中桶１２を収容できるように構成されている。前記収容凹部２１を包囲する前記おまる本体１１の前記上縁部１３には、位置決め部２２，・・・が四カ所に設けられており、前記便座部１４下面に形成された図外の被位置決め部と係合することで、前記おまる本体１１に対する前記便座部１４の固定位置を位置決めできるように構成されている。
【００３１】
前記便座部１４は、縦方向の長さ寸法が横幅寸法より長く設定され、前記おまる本体１１に適合した縦長形状に形成されている。この便座部１４の長さ方向前端部には、ハンドル部３１が立設されており、使用時には、このハンドル部３１が前方に配置した状態で、当該便座部１４を幅方向に跨いで使用できるように構成されている。
【００３２】
また、この便座部１４には、リング状に形成されており、中央部には、縦長の前記開口部１５が開設されている。前記便座部１４の内周縁からは、下方の向けて延出する延出部４１が一体形成されており、前記開口部１５の開口縁は、この延出部４１によって形成されている。
【００３３】
前記中桶１２は、図３にも示すように、矩形容器状に形成されており、排泄物を収容できるように構成されている。この中桶１２の底面５１は、相対向する短辺５２，５２と相対向する長辺５３とを有した長方形状に形成されており、両長辺５３は、中央部が外側に突出した湾曲形状に形成されている。前記各短辺５２，５２には、上方へ向けて延出する短辺側壁面５４，５４が立設されており、前記各長辺５３には、上方へ向けて延出する長辺側壁面５５，５５が立設されている。
【００３４】
該長辺側壁面５５は、前記長辺５３に沿った湾曲面で構成されており、中央部が外側に張り出している。この長辺側壁面５５の端部は、前記短辺側壁面５４の端縁に連設されており、前記各側壁面５４，５４，５５，５５によって当該中桶１２の周壁が形成されている。前記各側壁面５４，５４，５５，５５の上縁からは、外周方向へ向けて延出するフランジ部６１が形成されており、前記短辺側壁面５４，５４から延出したフランジ部６１の部位には、上方に膨出した取っ手部６２，６２が形成されている。
【００３５】
前記長辺側壁面５５，５５と前記短辺側壁面５４，５４との交差するコーナー部７１，・・・には、外側に張り出した張出部７２，・・・が形成されており、該張出部７２は、前記長辺側壁面５５から斜め側方に延出した長辺側延出片７３と、前記短辺側壁面５４から斜め側方に延出した短辺側延出片７４とによって構成されている。両延延出片７３，７４は、幅寸法が上方から下方へ向かうに従って短くなる三角形状に形成されており、当該張出部７２が形成する開口形状は、その幅寸法Ｈが当該中桶１２の内側から外側へ向かうに従って狭くなる平面視三角形状であって、その開口面積が上方へ向かうに従って大きくなるように構成されている。
【００３６】
当該おまる１は、図４及び図５に示すように、使用時に前記中桶１２に敷かれるシートとしての吸水シーツ８１を備えている。該吸水シーツ８１は、図６の（ａ）に示すように、長方形状に形成されており、図６の（ｂ）に示すように、その裏面は、ポリエチレンでで構成された不透液性バックシート８２で構成されている。また、前記吸水シーツ８１の表面は、透水性の不織布８３で構成されており、該不織布８３と前記不透液性バックシート８２との間には、高吸収ポリマー８４及び綿状パルプ８５からなる吸水性を有した吸収体８６が収容されている。
【００３７】
なお、本実施の形態では、吸水シーツ８１に高吸収ポリマー８４を用いたが、場合によっては、抗菌高吸収ポリマーを加えても良い。
【００３８】
そして、前記不織布８３は、その周縁が前記不透液性バックシート８２に熱溶着などによって固定されており、当該吸水シーツ８１の周縁部には、前記吸収体８６を不具備な耳部８７が形成されている。
【００３９】
この吸水シーツ８１を、図４及び図５に示したように、排泄物を収容する前記中桶１２の底面５１に敷いた状態では、当該吸水シーツ８１の周縁部が前記中桶１２の前記長辺側壁面５５，５５及び前記短辺側壁面５４，５４に沿って立ち上がるように構成されており、この状態において、前記吸水シーツ８１は、前記底面５１及び該底面５１に起立した前記各側壁面５４，５４，５５，５５が構成する内周面９１を全周に渡って覆う寸法に設定されている。また、前記吸水シーツ８１は、その立ち上がり部分が前記各側壁面５４，５４，５５，５５の上端に達するように、その短辺方向９２及び長辺方向９３の長さが設定されている（図６の（ａ）参照）。
【００４０】
そして、前記中桶１２の底面５１には、図４及び図５に示したように、下方に突出する凸条１０１がリング状に形成されており、該凸条１０１が前記おまる本体１１の収容凹部２１底面１０２に凹設された段差部１０３に収容された状態で位置決めされるように構成されている。この位置決め状態において、前記中桶１２の前記各側壁面５４，５４，５５，５５と前記便座部１４に形成された前記延出部４１との間には、前記各側壁面５４，５４，５５，５５に沿って配置された前記吸水シーツ８１の上端部を介在させる介在部１０４が前記中桶１２の周壁の内側に形成されている。
【００４１】
以上の構成にかかる本実施の形態において、おまる１を使用する際には、図７の（ａ）に示すように、おまる本体１１から取り出した中桶１２の上縁部に吸水シーツ８１を広げた状態でセットするとともに、図７の（ｂ）に示すように、この吸水シーツ８１上に、便座部１４をセットする。
【００４２】
そして、図８の（ａ）に示すように、前記便座部１４の開口部１５から手１１１，１１１を入れて、前記吸水シーツ８１を前記中桶１２の内側面に密着させる。すると、前記吸水シーツ８１は、図４及び図５に示したように、前記底面５１に沿って配置されるとともに、その周縁部は、当該中桶１２の周壁に沿って立ち上がる。
【００４３】
このとき、前記吸水シーツ８１は、当該中桶１２四隅の各コーナー部７１，・・・にて折曲され折り重ねられるが、各コーナー部７１，・・・には、外側に張り出した張出部７２，・・・が設けられている。このため、各コーナー部７１，・・・にて折曲され折り重ねられた前記吸水シーツ８１の折り重ね部１２１，・・・を、各コーナー部７１，・・・に設けられた張出部７２，・・・に収容した状態で起立させることができる（図９の（ａ）参照）。
【００４４】
この状態において、前記便座部１４がセットされた中桶１２を、図８の（ｂ）に示すように、おまる本体１１に収容して、使用可能状態を形成する。
【００４５】
そして、このおまる１を使用した際には、図９の（ａ）に示すように、前記おまる本体１１から前記便座部１４を離脱して、使用後の吸水シーツ８１を取り外す。このとき、前記中桶１２の前記張出部７２には、各コーナー部７１，・・・にて折曲され折り重ねられた前記吸水シーツ８１の折り重ね部１２１，・・・が起立した状態で配置されている。このため、この起立した折り重ね部１２１，・・・を指で摘むだけで、図９の（ｂ）に示すように、当該吸水シーツ８１を取り外すことができる。これにより、前記吸水シーツ８１の後片づけを容易に行うことができる。
【００４６】
また、前記コーナー部７１，・・・に設けられた前記張出部７２，・・・は、その開口形状が三角形状に形成されており、この張出部７２，・・・に収容される前記折り重ね部１２１，・・・の先端を、各張出部７２，・・・の頂点部に配置することができる。
【００４７】
これにより、前記張出部７２がラウンド形状（丸形）に形成された場合と比較して、前記各張出部７２，・・・に配置された前記折り重ね部１２１，・・・を摘んで取り出す際の取出性を、さらに向上することができるとともに、清掃容易性を高めることができる。
【００４８】
そして、前記中桶１２にセットされた長方形状の前記吸水シーツ８１は、四隅が前記各張出部７２，・・・に収容された状態で起立される。
【００４９】
これにより、前記吸水シーツ８１の四隅を、前記各張出部７２，・・・に収容した状態で起立させることができ、図９の（ｂ）に示したように、前記吸水シーツ８１の四隅を摘んで取り外すことができる。
【００５０】
一方、前記吸水シーツ８１の裏面は、不透液性バックシート８２で構成されている。このため、前記吸水シーツ８１を前記中桶１２から取り外す際には、尿などを吸収した吸水シーツ８１が破れるといった不具合を解消することができる。
【００５１】
このため、尿などによってシートが中桶１２の底面５１に張り付く恐れのある場合と比較して、吸水シーツ８１の取り外し性を向上することができ、後片づけを容易に行うことができる。
【００５２】
なお、本実施の形態にあっては、前記コーナー部７１，・・・に設けられた張出部７２，・・・の開口形状が三角形状のものを例に挙げて説明したが、これに限定されるものでは無い。
【００５３】
例えば、図１０に示すように、中桶１２の各コーナー部７１，・・・に設けられた張出部７２を円筒状に形成し、その平面視開口部形状を円形にしても良い。
【００５４】
この場合、当該張出部７２内への指を挿入性を高めることができるので、前記折り重ね部１２１，・・・を指で摘む際の摘みやすさを向上することができる。
【図面の簡単な説明】
【００５５】
【図１】本発明の一実施の形態を示す斜視図である。
【図２】同実施の形態の分解斜視図である。
【図３】同実施の形態の中桶を示す斜視図である。
【図４】同実施の形態の縦方向に沿った断面図である。
【図５】同実施の形態の横方向に沿った断面図である。
【図６】同実施の形態の吸水シーツを示す図で、（ａ）は平面図であり、（ｂ）は要部の断面図ある。
【図７】（ａ）は、同実施の形態の使用手順を示す説明図であり、（ｂ）は、（ａ）に続く使用手順を示す説明図である。
【図８】（ａ）は、図７の（ｂ）に続く使用手順を示す説明図であり、（ｂ）は、（ａ）に続く使用手順を示す説明図である。
【図９】（ａ）は、図８の（ｂ）に続く使用手順を示す説明図であり、（ｂ）は、（ａ）に続く使用手順を示す説明図である。
【図１０】他の実施の形態を示す図で、（ａ）は、要部の斜視図であり、（ｂ）は、その平面図である。
【符号の説明】
【００５６】
１    おまる
１２    中桶
５１    底面
５２    短辺
５３    長辺
５４    短辺側壁部
５５    長辺側壁部
７１    コーナー部
７２    張出部
８１    吸水シーツ
８２    不透液性バックシート
９１    内周面
【図１】
2006288855.tif 000003
【図２】
2006288855.tif 000004
【図３】
2006288855.tif 000005
【図４】
2006288855.tif 000006
【図５】
2006288855.tif 000007
【図６】
2006288855.tif 000008
【図７】
2006288855.tif 000009
【図８】
2006288855.tif 000010
【図９】
2006288855.tif 000011
【図１０】
2006288855.tif 000012